(57)【要約】      （修正有）【課題】従来の結像光学系の課題であった球面収差や軸上色収差を良好に補正し、バックフォーカスの短い、Ｆ値がＦ１．２程度のミラーレスカメラに最適な結像光学系を提供する。【解決手段】物体側から像側へ順に、正の屈折力を有する第１レンズ群Ｌ１と、正の屈折力を有する第２レンズ群Ｌ２と、負の屈折力を有する第３レンズ群Ｌ３と、からなり、前記第１レンズ群Ｌ１は、少なくとも一つの接合レンズを有すると共に、最も物体側に負レンズ素子を配し、物体側に凸面を向けた正レンズ素子を前記負レンズ素子の像側に隣接するよう配し、前記第２レンズ群Ｌ２は、開口絞りＳを含み、フォーカシングに際して、前記第２レンズ群Ｌ２が物体側に移動するとともに、前記第１レンズ群Ｌ１と、前記第３レンズ群Ｌ３とが像面に対して固定であり、所定の条件式を満足することを特徴とする結像光学系とした。【選択図】図１
2019215510.tif 000002
【特許請求の範囲】
【請求項１】
物体側から像側へ順に、
正の屈折力を有する第１レンズ群Ｌ１と、
正の屈折力を有する第２レンズ群Ｌ２と、
負の屈折力を有する第３レンズ群Ｌ３と、
からなり、
前記第１レンズ群Ｌ１は、少なくとも一つの接合レンズを有すると共に、最も物体側に負レンズ素子を配し、物体側に凸面を向けた正レンズ素子を前記負レンズ素子の像側に隣接するよう配し、
前記第２レンズ群Ｌ２は、開口絞りＳを含み、
フォーカシングに際して、前記第２レンズ群Ｌ２が物体側に移動するとともに、前記第１レンズ群Ｌ１と、前記第３レンズ群Ｌ３とが像面に対して固定であり、以下の条件式を満足することを特徴とする結像光学系。
Ｙ／Ｂｆ  ＞  ０．７０      （１）
2019215510.tif 000006
但し、
Ｙは最大像高、
Ｂｆは第３レンズ群Ｌ３の最も像側面の面頂から像面までの距離であり、
Ａｃｉは以下の式で表される。
Ａｃｉ  ＝  φｃｐｉ／νｄｃｐｉ  ＋  φｃｍｉ／νｄｃｍｉ
但し、
φｃｐｉは、前記第１レンズ群Ｌ１に含まれる物体側からｉ番目の接合レンズの正レンズ素子の屈折力、
νｄｃｐｉは、記第１レンズ群Ｌ１に含まれる物体側からｉ番目の接合レンズの正レンズ素子のアッベ数、
φｃｍｉは、前記第１レンズ群Ｌ１に含まれる物体側からｉ番目の接合レンズの負レンズ素子の屈折力、
νｄｃｍｉは、記第１レンズ群Ｌ１に含まれる物体側からｉ番目の接合レンズの負レンズ素子のアッベ数である。
【請求項２】
前記第１レンズ群Ｌ１の最も像側に位置する正レンズ素子Ｌ１ｐが以下の条件式を満足することを特徴とする請求項１に記載の結像光学系。
νｄＬ１ｐ  ＜  ２７      （３）
０．０２２０  ＜  ΔＰｇｆＬ１ｐ    （４）
但し、
ΔＰｇｆＬ１ｐは前記正レンズ素子Ｌ１ｐの異常分散性であり、以下の式で表される。
ΔＰｇｆＬ１ｐ  ＝  ＰｇｆＬ１ｐ  ＋  ０．００１８×νｄＬ１ｐ  ―  ０．６４８３３
但し、
νｄＬ１ｐは前記正レンズ素子Ｌ１ｐのアッベ数νｄ、
ＰｇｆＬ１ｐは前記正レンズ素子Ｌ１ｐのｇ線とＦ線に関する部分分散比Ｐｇｆである。
【請求項３】
前記第１レンズ群Ｌ１の最も物体側の面から、像側に凹面を向けた負レンズ素子の像側の面までをレンズ成分Ｌ１ｆとし、前記レンズ成分Ｌ１ｆは負の屈折力を有し、以下の条件式を満足することを特徴とする請求項１又は請求項２に記載の結像光学系。
−３．５３  ＜  ｆ１ｆ／ｆ  ＜  −０．６０   （５）
但し、
ｆ１ｆは前記レンズ成分Ｌ１ｆの焦点距離、
ｆはレンズ全系の無限遠合焦時の焦点距離である。
【請求項４】
レンズ全系のうち、前記開口絞りＳより物体側に配される全てのレンズ素子群をレンズ群Ｌｓｆとし、前記レンズ群Ｌｓｆは正の屈折力を有し、以下の条件式を満足することを特徴とする請求項１乃至請求項３のいずれかに記載の結像光学系。
１．０  ＜  ｆｓｆ／ｆ  ＜  ２．７    （６）
但し、
ｆｓｆは前記レンズ群Ｌｓｆの無限遠合焦時の焦点距離、
ｆはレンズ全系の無限遠合焦時の焦点距離である。
【請求項５】
以下の条件式を満足することを特徴とする請求項１乃至請求項４のいずれかに記載の結像光学系。
１．０  ＜  ｆ２／ｆ  ＜  ２．１    （７）
但し、
ｆ２は前記第２レンズ群Ｌ２の焦点距離、
ｆはレンズ全系の無限遠合焦時の焦点距離である。
【請求項６】
以下の条件式を満足することを特徴とする請求項１乃至請求項５のいずれかに記載の結像光学系。
β１ｂ  ＜  ０．３７      （８）
但し、
β１ｂは無限遠合焦時の前記第１レンズ群Ｌ１よりも像側に位置するレンズ素子群の横倍率である。
【発明の詳細な説明】
【技術分野】
【０００１】
本発明は、デジタルカメラ、銀塩カメラ及びビデオカメラ等に最適であり、特に、画角が４８°〜７７°程度で、Ｆ値がＦ１．２程度の、バックフォーカスの短いミラーレスカメラに最適な結像光学系に関する。
【背景技術】
【０００２】
一般的にＦ１．２程度のＦ値が明るい大口径レンズは、Ｆ値の暗いレンズに比べ入射瞳径が大きくなるため、球面収差や軸上色収差の補正が難しくなる。一方、昨今のデジタルカメラはイメージセンサーが高画素化しているため、特に軸上色収差が補正不足な結像光学系の場合、結像面での像の色付きや、アウトフォーカス部でのボケ像への色付きがより顕著なものとなってしまう。このような問題を解決するためには軸上色収差をより小さくなるよう補正することが重要となる。
【０００３】
以下の特許文献において従来の結像光学系が開示されている。
【０００４】
特許文献１では、画角が４５°程度で、Ｆ値がＦ１．２程度の光学系が開示されている。
【０００５】
また、特許文献２では、画角が４９°程度で、Ｆ値がＦ１．４程度の光学系が開示されている。
【先行技術文献】
【特許文献】
【０００６】
【特許文献１】特開２００７ー３３３７９０号公報
【特許文献２】特開２０１６−３８４１８号公報
【発明の概要】
【発明が解決しようとする課題】
【０００７】
しかしながら、特許文献１で開示されている結像光学系は、軸上色収差補正が不十分であり、また、バックフォーカスが長く、ミラーレスカメラに最適な結像光学系とはなっていない。
【０００８】
また、特許文献２で開示されている結像光学系は、バックフォーカスが短く、ミラーレスカメラには最適な結像光学系である。しかし、Ｆ値がＦ１．４程度であるため、Ｆ値をＦ１．２程度まで明るくしようとした場合、開示されている結像光学系では、球面収差や軸上色収差の補正が困難である。
【０００９】
そこで、本発明は、従来の結像光学系の課題を解決し、Ｆ値がＦ１．２程度の、バックフォーカスを短くすることで、光学系の全長を抑えつつ、軸上色収差が良好に補正され、ミラーレスカメラに最適な結像光学系を提供することを目的とする。
【課題を解決するための手段】
【００１０】
上記の課題を解決するために、本発明の結像光学系は、物体側から像側へ順に、正の屈折力を有する第１レンズ群Ｌ１と、正の屈折力を有する第２レンズ群Ｌ２と、負の屈折力を有する第３レンズ群Ｌ３と、からなり、前記第１レンズ群Ｌ１は、少なくとも一つの接合レンズを有すると共に、最も物体側に負レンズ素子を配し、物体側に凸面を向けた正レンズ素子を前記負レンズ素子の像側に隣接するよう配し、前記第２レンズ群Ｌ２は、開口絞りＳを含み、フォーカシングに際して、前記第２レンズ群Ｌ２が物体側に移動するとともに、前記第１レンズ群Ｌ１と、前記第３レンズ群Ｌ３とが像面に対して固定であり、以下の条件式を満足することを特徴とした。
Ｙ／Ｂｆ  ＞  ０．７０      （１）
2019215510.tif 000003
但し、
Ｙは最大像高、
Ｂｆは第３レンズ群Ｌ３の最も像側面の面頂から像面までの距離であり、
Ａｃｉは以下の式で表される。
Ａｃｉ  ＝  φｃｐｉ／νｄｃｐｉ  ＋  φｃｍｉ／νｄｃｍｉ
但し、
φｃｐｉは、前記第１レンズ群Ｌ１に含まれる物体側からｉ番目の接合レンズの正レンズ素子の屈折力、
νｄｃｐｉは、記第１レンズ群Ｌ１に含まれる物体側からｉ番目の接合レンズの正レンズ素子のアッベ数、
φｃｍｉは、前記第１レンズ群Ｌ１に含まれる物体側からｉ番目の接合レンズの負レンズ素子の屈折力、
νｄｃｍｉは、記第１レンズ群Ｌ１に含まれる物体側からｉ番目の接合レンズの負レンズ素子のアッベ数である。
【００１１】
また、第２の発明は、第１の発明においてさらに、前記第１レンズ群Ｌ１の最も像側に位置する正レンズ素子Ｌ１ｐが以下の条件式を満足することを特徴とする結像光学系である。
νｄＬ１ｐ  ＜  ２７      （３）
０．０２２０  ＜  ΔＰｇｆＬ１ｐ    （４）
但し、
ΔＰｇｆＬ１ｐは前記正レンズ素子Ｌ１ｐの異常分散性であり、以下の式で表される。
ΔＰｇｆＬ１ｐ  ＝  ＰｇｆＬ１ｐ  ＋  ０．００１８×νｄＬ１ｐ  ―  ０．６４８３３
但し、
νｄＬ１ｐは前記正レンズ素子Ｌ１ｐのアッベ数νｄ、
ＰｇｆＬ１ｐは前記正レンズ素子Ｌ１ｐのｇ線とＦ線に関する部分分散比Ｐｇｆである。
【００１２】
また、第３の発明は、第１乃至第２の発明においてさらに、前記第１レンズ群Ｌ１の最も物体側の面から、像側に凹面を向けた負レンズ素子の像側の面までをレンズ成分Ｌ１ｆとし、前記レンズ成分Ｌ１ｆは負の屈折力を有し、以下の条件式を満足することを特徴とする結像光学系である。
−３．５３  ＜  ｆ１ｆ／ｆ  ＜  −０．６０   （５）
但し、
ｆ１ｆは前記レンズ成分Ｌ１ｆの焦点距離、
ｆはレンズ全系の無限遠合焦時の焦点距離である。
【００１３】
また、第４の発明は、第１乃至第３の発明においてさらに、レンズ全系のうち、前記開口絞りＳより物体側に配される全てのレンズ素子群をレンズ群Ｌｓｆとし、前記レンズ群Ｌｓｆは正の屈折力を有し、以下の条件式を満足することを特徴とする結像光学系である。
１．０  ＜  ｆｓｆ／ｆ  ＜  ２．７    （６）
但し、
ｆｓｆは前記レンズ群Ｌｓｆの無限遠合焦時の焦点距離、
ｆはレンズ全系の無限遠合焦時の焦点距離である。
【００１４】
また、第５の発明は、第１乃至第４の発明においてさらに、以下の条件式を満足することを特徴とする結像光学系である。
１．０  ＜  ｆ２／ｆ  ＜  ２．１    （７）
但し、
ｆ２は前記第２レンズ群Ｌ２の焦点距離、
ｆはレンズ全系の無限遠合焦時の焦点距離である。
【００１５】
また、第６の発明は、第１乃至第５の発明においてさらに、以下の条件式を満足することを特徴とする結像光学系である。
β１ｂ  ＜  ０．３７      （８）
但し、
β１ｂは無限遠合焦時の前記第１レンズ群Ｌ１よりも像側に位置するレンズ素子群の横倍率である。
【発明の効果】
【００１６】
本発明によれば、従来の結像光学系の課題であった球面収差や軸上色収差を良好に補正し、バックフォーカスの短い、Ｆ値がＦ１．２程度のミラーレスカメラに最適な結像光学系を提供することができる。
【図面の簡単な説明】
【００１７】
【図１】本発明の実施例１に係る無限遠合焦時のレンズ構成図である。
【図２】本発明の実施例１に係る無限遠合焦時の縦収差図である。
【図３】本発明の実施例１に係る撮影距離２０５９ｍｍにおける縦収差図である。
【図４】本発明の実施例１に係る無限遠合焦時の横収差図である。
【図５】本発明の実施例１に係る撮影距離２０５９ｍｍにおける横収差図である。
【図６】本発明の実施例２に係る無限遠合焦時のレンズ構成図である。
【図７】本発明の実施例２に係る無限遠合焦時の縦収差図である。
【図８】本発明の実施例２に係る撮影距離２０５８ｍｍにおける縦収差図である。
【図９】本発明の実施例２に係る無限遠合焦時の横収差図である。
【図１０】本発明の実施例２に係る撮影距離２０５８ｍｍにおける横収差図である。
【図１１】本発明の実施例３に係る無限遠合焦時のレンズ構成図である。
【図１２】本発明の実施例３に係る無限遠合焦時の縦収差図である。
【図１３】本発明の実施例３に係る撮影距離１７７４ｍｍにおける縦収差図である。
【図１４】本発明の実施例３に係る無限遠合焦時の横収差図である。
【図１５】本発明の実施例３に係る撮影距離１７７４ｍｍにおける横収差図である。
【図１６】本発明の実施例４に係る無限遠合焦時のレンズ構成図である。
【図１７】本発明の実施例４に係る無限遠合焦時の縦収差図である。
【図１８】本発明の実施例４に係る撮影距離１７７４ｍｍにおける縦収差図である。
【図１９】本発明の実施例４に係る無限遠合焦時の横収差図である。
【図２０】本発明の実施例４に係る撮影距離１７７４ｍｍにおける横収差図である。
【図２１】本発明の実施例５に係る無限遠合焦時のレンズ構成図である。
【図２２】本発明の実施例５に係る無限遠合焦時の縦収差図である。
【図２３】本発明の実施例５に係る撮影距離１７５４ｍｍにおける縦収差図である。
【図２４】本発明の実施例５に係る無限遠合焦時の横収差図である。
【図２５】本発明の実施例５に係る撮影距離１７５４ｍｍにおける横収差図である。
【図２６】本発明の実施例６に係る無限遠合焦時のレンズ構成図である。
【図２７】本発明の実施例６に係る無限遠合焦時の縦収差図である。
【図２８】本発明の実施例６に係る撮影距離１２８１ｍｍにおける縦収差図である。
【図２９】本発明の実施例６に係る無限遠合焦時の横収差図である。
【図３０】本発明の実施例６に係る撮影距離１２８１ｍｍにおける横収差図である。
【発明を実施するための形態】
【００１８】
以下に、本発明にかかる光学系の実施例について詳細に説明する。なお、以下の実施例の説明は本発明の光学系の一例を説明したものであり、本発明はその要旨を逸脱しない範囲において本実施例に限定されるものではない。
【００１９】
本実施例の結像光学系は、物体側から像側へ順に、正の屈折力を有する第１レンズ群Ｌ１と、正の屈折力を有する第２レンズ群Ｌ２と、負の屈折力を有する第３レンズ群Ｌ３と、からなり、前記第１レンズ群Ｌ１は、少なくとも一つの接合レンズを有すると共に、最も物体側に負レンズ素子を配し、物体側に凸面を向けた正レンズ素子を前記負レンズ素子の像側に隣接するよう配し、前記第２レンズ群Ｌ２は、開口絞りＳを含み、フォーカシングに際して、前記第２レンズ群Ｌ２が物体側に移動するとともに、前記第１レンズ群Ｌ１と、前記第３レンズ群Ｌ３とが像面に対して固定であり、以下の条件式を満足することを特徴とする。
Ｙ／Ｂｆ  ＞  ０．７０      （１）
2019215510.tif 000004
但し、
Ｙは最大像高、
Ｂｆは第３レンズ群Ｌ３の最も像側面の面頂から像面までの距離であり、
Ａｃｉは以下の式で表される。
Ａｃｉ  ＝  φｃｐｉ／νｄｃｐｉ  ＋  φｃｍｉ／νｄｃｍｉ
但し、
φｃｐｉは、前記第１レンズ群Ｌ１に含まれる物体側からｉ番目の接合レンズの正レンズ素子の屈折力、
νｄｃｐｉは、記第１レンズ群Ｌ１に含まれる物体側からｉ番目の接合レンズの正レンズ素子のアッベ数、
φｃｍｉは、前記第１レンズ群Ｌ１に含まれる物体側からｉ番目の接合レンズの負レンズ素子の屈折力、
νｄｃｍｉは、記第１レンズ群Ｌ１に含まれる物体側からｉ番目の接合レンズの負レンズ素子のアッベ数である。
【００２０】
なお、Ｆ線、ｄ線、Ｃ線、の屈折率をそれぞれ、ＮＦ、Ｎｄ、ＮＣとした場合、アッベ数νｄは以下の式で表す。
νｄ  ＝  （Ｎｄ−１）／（ＮＦ−ＮＣ）
【００２１】
第１レンズ群Ｌ１の最も物体側に負レンズ素子を配し、物体側に凸面を向けた正レンズ素子を前記負レンズ素子の像側に隣接するよう配することで、レンズ全系の像面湾曲補正、及びコマ収差補正を効果的に行うことができる。またさらに、第１レンズ群Ｌ１内に少なくとも１つの接合レンズを配することで、レンズ全系の軸上色収差補正を効果的に行うことができる。
【００２２】
条件式（１）は、小型化のために、レンズ全系のバックフォーカスを規定したものである。
【００２３】
条件式（１）の下限値を超え、レンズ全系のバックフォーカスが長くなると、レンズ全系の全長が増大するため、小型化に不利となる。
【００２４】
なお、上述した条件式（１）について、下限値を０．７５に規定することで、前述の効果をより確実にすることができる。
【００２５】
条件式（２）は、高性能化のため、第１レンズ群Ｌ１に含まれる接合レンズの１次の色消し条件の和を規定したものである。
【００２６】
条件式（２）の上限値を超え、第１レンズ群Ｌ１に含まれる接合レンズの色消し条件の和が大きくなると、１次の色消しが不十分となるため、軸上色収差が悪化してしまう。
【００２７】
なお、条件式（２）の上限値は０．００１６に限定することで、前述の効果をより確実にすることができる。
【００２８】
さらに、第１レンズ群Ｌ１の最も像側に位置する正レンズ素子Ｌ１ｐが以下の条件式を満足することを特徴とする。
νｄＬ１ｐ  ＜  ２７      （３）
０．０２２０  ＜  ΔＰｇｆＬ１ｐ    （４）
但し、
ΔＰｇｆＬ１ｐは前記正レンズ素子Ｌ１ｐの異常分散性であり、以下の式で表される。
ΔＰｇｆＬ１ｐ  ＝  ＰｇｆＬ１ｐ  ＋  ０．００１８×νｄＬ１ｐ  ―  ０．６４８３３
但し、
νｄＬ１ｐは前記正レンズ素子Ｌ１ｐのアッベ数νｄ、
ＰｇｆＬ１ｐは前記正レンズ素子Ｌ１ｐのｇ線とＦ線に関する部分分散比Ｐｇｆである。
【００２９】
条件式（３）及び（４）は、高性能化のため、正レンズ素子Ｌ１ｐのアッベ数νｄと異常分散性ΔＰｇｆを規定したものである。
【００３０】
なお、ｇ線、Ｆ線、ｄ線、Ｃ線、の屈折率をそれぞれ、Ｎｇ、ＮＦ、Ｎｄ、ＮＣとした場合、部分分散比Ｐｇｆは以下の式で表す。
Ｐｇｆ  ＝  （Ｎｇ−ＮＦ）／（ＮＦ−ＮＣ）
【００３１】
条件式（３）の上限値を超えると共に条件式（４）の下限値を超え、正レンズ素子Ｌ１ｐのアッベ数νｄが大きくなると共に異常分散性ΔＰｇｆが小さくなると、特に、２次スペクトルの補正が不足することで、軸上色収差が悪化してしまう。
【００３２】
なお、条件式（３）の上限値は２３、条件式（４）の下限値を０．０２６０、に限定することで、前述の効果をより確実にすることができる。
【００３３】
さらに、前記第１レンズ群Ｌ１の最も物体側の面から、像側に凹面を向けた負レンズ素子の像側の面までをレンズ成分Ｌ１ｆとし、前記レンズ成分Ｌ１ｆは負の屈折力を有し、以下の条件式を満足することを特徴とする。
−３．５３  ＜  ｆ１ｆ／ｆ  ＜  −０．６０   （５）
但し、
ｆ１ｆは前記レンズ成分Ｌ１ｆの焦点距離、
ｆはレンズ全系の無限遠合焦時の焦点距離である。
【００３４】
条件式（５）は、小型化のため、レンズ成分Ｌ１ｆの屈折力を規定したものである。
【００３５】
条件式（５）の上限値を超え、レンズ成分Ｌ１ｆの屈折力が強くなると、レンズ成分Ｌ１ｆでの発散作用が強くなるため、第１レンズ群Ｌ１のうちレンズ成分Ｌ１ｆよりも像側に配するレンズ素子での光線高が高くなり、レンズ径が増大するため、製品径の増加を招いてしまう。
【００３６】
条件式（５）の下限値を超え、レンズ成分Ｌ１ｆの屈折力が弱くなると、レンズ成分Ｌ１ｆでの発散作用が弱くなるため、第１レンズ群Ｌ１のうちレンズ成分Ｌ１ｆよりも像側に配するレンズ成分での光線高は高くならないが、レンズ成分Ｌ１ｆ自体での光線高が高くなり、レンズ径が増大するため、製品径の増大を招いてしまう。
【００３７】
なお、条件式（５）上限値を―０．７０、下限値を―３．２０に限定することで、前述の効果をより確実にすることができる。
【００３８】
さらに、レンズ全系のうち、前記開口絞りＳより物体側に配される全てのレンズ素子群をレンズ群Ｌｓｆとし、前記レンズ群Ｌｓｆは正の屈折力を有し、以下の条件式を満足することを特徴とする。
１．０  ＜  ｆｓｆ／ｆ  ＜  ２．７    （６）
但し、
ｆｓｆは前記レンズ群Ｌｓｆの無限遠合焦時の焦点距離、
ｆはレンズ全系の無限遠合焦時の焦点距離である。
【００３９】
条件式（６）は、小型化と高性能化のため、前記レンズ群Ｌｓｆの屈折力を規定したものである。
【００４０】
条件式（６）の上限値を超え、レンズ群Ｌｓｆの屈折力が弱くなると、開口絞りＳでのＦ値光束径が増大するため、Ｆ値を維持しようとした場合に絞り径が増大し、絞りユニット径の増大、ひいては製品径の増大に繋がり、小型化に不利となる。
【００４１】
条件式（６）の下限値を超え、レンズ群Ｌｓｆの屈折力が強くなると、開口絞りＳでのＦ値光束径は減少するため、絞りユニット径が減少し、小型化には有利になる。一方、主にレンズ群Ｌｓｆで発生する像面湾曲が悪化し、これをレンズ全系で良好に補正することが困難となるため、高性能化に不利となる。
【００４２】
なお、条件式（６）下限値を１．２、上限値を２．２に限定することで、前述の効果をより確実にすることができる。
【００４３】
さらに、以下の条件式を満足することを特徴とする。
１．０  ＜  ｆ２／ｆ  ＜  ２．１    （７）
但し、
ｆ２は前記第２レンズ群Ｌ２の焦点距離、
ｆはレンズ全系の無限遠合焦時の焦点距離である。
【００４４】
条件式（７）は、高性能化と小型化のため、第２レンズ群Ｌ２の屈折力を規定したものである。
【００４５】
条件式（７）の下限値を超え、第２レンズ群Ｌ２の屈折力が強くなると、フォーカシングに際する移動量が小さくなるため、小型化には有利になるが、フォーカシングに際する非点収差や球面収差等、諸収差の変動が増大するだけでなく、製造誤差敏感度が大きくなるため、高性能化に不利となる。
【００４６】
条件式（７）の上限値を超え、第２レンズ群Ｌ２の屈折力が弱くなると、フォーカシングに際する諸収差の変動は軽減するため、高性能化には有利になるが、フォーカシングに際する移動量が増大するため、小型化には不利となる。
【００４７】
なお、上述した条件式（７）について、その下限値は１．１、また上限値は１．８に限定することで、前述の効果をより確実にすることができる。
【００４８】
さらに、以下の条件式を満足することを特徴とする。
β１ｂ  ＜  ０．３７     （８）
但し、
β１ｂは無限遠合焦時の前記第１レンズ群Ｌ１よりも像側に位置するレンズ素子群の横倍率である。
【００４９】
条件式（８）は、高性能化のため、第１レンズ群Ｌ１よりも像側に位置するレンズ素子群の横倍率を規定したものである。
【００５０】
条件式（８）の上限値を超え、第１レンズ群Ｌ１よりも像側に位置するレンズ素子群の横倍率が大きくなると、第１レンズ群Ｌ１で発生した収差が拡大されるため、高性能化には不利となる。
【００５１】
なお、条件式（８）の上限値は０．３１、に限定することで、前述の効果をより確実にすることができる。
【００５２】
以下、本発明にかかる結像光学系の実施例１乃至６の数値データを示す。
【００５３】
［面データ］において、面番号は物体側から数えたレンズ面又は開口絞りの番号、ｒは各面の曲率半径、ｄは各面の間隔、ｎｄはｄ線（波長λ＝５８７．５６ｎｍ）に対する屈折率、νｄはｄ線に対するアッベ数を示す。また、ＢＦはバックフォーカスを表し、空気の屈折率ｎ＝１．００００はその記載を省略する。
【００５４】
面番号を付した（絞り）には、平面または開口絞りに対する曲率半径∞（無限大）を記入している。
【００５５】
［非球面データ］には［面データ］において＊を付したレンズ面の非球面形状を与える各係数値を示している。非球面の形状は、光軸に直交する方向への変位をｙ、非球面と光軸の交点から光軸方向への変位（サグ量）をｚ、コーニック係数をＫ、４、６、８、１０、１２次の非球面係数をそれぞれＡ４、Ａ６、Ａ８、Ａ１０、Ａ１２と置くとき、非球面の座標が以下の式で表わされるものとする。
2019215510.tif 000005
【００５６】
［各種データ］には、各焦点距離状態における焦点距離等の値を示している。
【００５７】
［可変間隔データ］には、各焦点距離状態における可変間隔及びＢＦ（バックフォーカス）の値を示している。
【００５８】
［レンズ群データ］には、各レンズ群を構成する最も物体側の面番号及び群全体の合成焦点距離を示している。なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００５９】
また、各実施例に対応する収差図において、ｄ、ｇ、Ｃはそれぞれｄ線、ｇ線、Ｃ線を表しており、ΔＳ、ΔＭはそれぞれサジタル像面、メリジオナル像面を表している。
さらに図１、６、１１、１６、２１、２６に示すレンズ構成図において、Ｓは開口絞り、Ｉは像面、ＬＰＦはローパスフィルター、中心を通る一点鎖線は光軸である。
【実施例１】
【００６０】
図１は、実施例１に係る結像光学系の無限遠におけるレンズ構成図である。実施例１の結像光学系は、物体側から像側へ順に、フォーカシング時に固定の正の屈折力を有する第１レンズ群Ｌ１と、フォーカシング時に物体側に移動し正の屈折力を有する第２レンズ群Ｌ２と、フォーカシング時に固定の負の屈折力を有する第３レンズ群Ｌ３とから構成される。
【００６１】
第１レンズ群Ｌ１は、物体側から像側へ順に、物体側に凸面を向けた凹メニスカスレンズと物体側に凸面を向けた凸メニスカスレンズと両凹レンズとで構成されるレンズ成分Ｌ１ｆと、両凸レンズと、両凹レンズと両凸レンズの接合レンズと、両凹レンズと両凸レンズの接合レンズと、両凸レンズ素子Ｌ１ｐとから構成される。
【００６２】
第２レンズ群Ｌ２は、物体側から像側へ順に、Ｒ２面が非球面の両凸レンズと、両凸レンズと両凹レンズの接合レンズと、絞りＳと、両凹レンズと物体側に凸面を向けた凸メニスカスレンズの接合レンズと両凸レンズと、Ｒ１面とＲ２面両面が非球面で物体側に凹面を向けた凸メニスカスレンズとから構成される。
【００６３】
第３レンズ群Ｌ３は、物体側から像側へ順に、両凸レンズと、両凹レンズとから構成される。
【００６４】
続いて、以下に実施例１に係る結像光学系の諸元値を示す。
【００６５】
数値実施例１
単位：mm
[面データ]
面番号            r              d               nd             vd
物面                 ∞           (d0)
1             259.2005         3.9656        1.49700          81.61
2              36.0489         1.8284
3              40.4512         6.7840        2.00069          25.46
4              48.7346        13.5960
5             -50.0535         2.0000        1.49700          81.61
6             444.9340         0.1500
7             102.4616         9.9748        1.77250          49.62
8             -57.2347         0.7113
9             -52.7837         1.5000        1.80518          25.46
10              62.5000        11.0746        1.77250          49.62
11             -70.2116         3.1864
12             -72.1569         1.5000        1.92119          23.96
13              90.1742         5.8741        1.77250          49.62
14           -1000.0000         0.1500
15             132.7624         7.8334        1.98612          16.48
16            -112.3961            d16
17              42.1510        10.6553        1.69350          53.20
18*           -192.5256         0.4054
19            2870.6010         7.9394        1.59349          67.00
20             -41.6908         1.0000        1.67300          38.26
21              43.2474         6.3397
22(絞り)             ∞         6.8810
23             -30.4885         1.0000        1.69895          30.05
24             152.7244         2.8633        1.55032          75.50
25             683.1561         0.2000
26              72.4204         8.5969        1.77250          49.62
27             -45.9138         3.9524
28*           -442.9462         4.3093        1.77250          49.50
29*            -68.8452            d29
30              71.3653         4.3854        2.00069          25.46
31            -244.4417         0.7125
32            -146.9124         0.8000        1.78470          26.29
33              41.7634        20.9913
34                   ∞         2.5000        1.51680          64.20
35                   ∞             BF
像面                 ∞
[非球面データ]
18面           28面           29面
K     0.0000E+00     0.0000E+00     0.0000E+00
A4     1.7905E-06    -4.1058E-06     1.9868E-06
A6    -1.7282E-09    -7.3230E-09    -5.1825E-09
A8     9.5181E-13     3.9434E-11     3.9444E-11
A10    -5.0029E-16    -5.8666E-14    -5.0984E-14
A12     0.0000E+00     0.0000E+00     0.0000E+00
[各種データ]
INF
焦点距離             48.30
Fナンバー             1.26
全画角2ω            48.80
像高Y              21.63
レンズ全長           165.00
[可変間隔データ]
INF      撮影距離2059mm
d0               ∞           1894.2816
d16           8.8392              7.7209
d29           1.5000              2.6183
BF           1.0000              1.0000
[レンズ群データ]
群           始面           焦点距離
L1              1             187.14
L2             17              64.05
L3             30            -200.77
L1f             1             -54.52
Lsf             1              69.94
【実施例２】
【００６６】
図６は、実施例２に係る結像光学系の無限遠におけるレンズ構成図である。実施例２の結像光学系は、物体側から像側へ順に、フォーカシング時に固定の正の屈折力を有する第１レンズ群Ｌ１と、フォーカシング時に物体側に移動し正の屈折力を有する第２レンズ群Ｌ２と、フォーカシング時に固定の負の屈折力を有する第３レンズ群Ｌ３とから構成される。
【００６７】
第１レンズ群Ｌ１は、物体側から像側へ順に、物体側に凸面を向けた凹メニスカスレンズと物体側に凸面を向けた凸メニスカスレンズと両凹レンズとで構成されるレンズ成分Ｌ１ｆと、両凸レンズと、両凹レンズと両凸レンズの接合レンズと、両凹レンズと両凸レンズの接合レンズと、両凸レンズ素子Ｌ１ｐとから構成される。
【００６８】
第２レンズ群Ｌ２は、物体側から像側へ順に、Ｒ２面が非球面の両凸レンズと、物体側に凹面を向けた凸メニスカスレンズと両凹レンズの接合レンズと、絞りＳと、両凹レンズと両凸レンズの接合レンズと両凸レンズと、Ｒ１面とＲ２面両面が非球面で物体側に凹面を向けた凸メニスカスレンズとから構成される。
【００６９】
第３レンズ群Ｌ３は、物体側から像側へ順に、両凸レンズと、両凹レンズとから構成される。
【００７０】
続いて、以下に実施例２に係る結像光学系の諸元値を示す。
【００７１】
数値実施例２
単位：mm
[面データ]
面番号            r              d               nd             vd
物面                 ∞           (d0)
1             329.2217         2.5000        1.49700          81.61
2              37.8223         1.5392
3              41.4152         6.6962        2.00069          25.46
4              49.9917        13.5883
5             -57.1815         2.0000        1.49700          81.61
6             754.3452         0.1500
7              98.1553         9.5005        1.77250          49.62
8             -69.9522         0.5964
9             -64.9402         1.5000        1.80518          25.46
10              62.5000        12.1207        1.77250          49.62
11             -80.2691         7.6735
12             -67.4612         1.5000        1.92119          23.96
13              90.1864         5.5629        1.77250          49.62
14           -1000.0000         0.1500
15             113.4358         7.4188        1.98612          16.48
16            -131.3073            d16
17              46.3689         9.9520        1.77377          47.17
18*           -197.7804         1.2969
19            -303.0475         7.7510        1.62041          60.34
20             -36.9798         1.0000        1.63980          34.46
21              44.2758         4.8849
22(絞り)             ∞         6.9054
23             -30.1848         1.0000        1.69895          30.05
24             194.4879         3.3785        1.55032          75.50
25            -270.8956         0.2000
26              74.8673         8.0566        1.77250          49.62
27             -50.0318         5.7227
28*           -845.2086         4.2281        1.77250          49.50
29*            -74.7984            d29
30              68.2901         4.4272        2.00069          25.46
31            -257.0025         0.7402
32            -148.0556         0.8000        1.78470          26.29
33              38.8678        19.3766
34                   ∞         2.5000        1.51680          64.20
35                   ∞             BF
像面                 ∞
[非球面データ]
18面           28面           29面
K     0.0000E+00     0.0000E+00     0.0000E+00
A4     1.4731E-06    -5.4481E-06     1.1966E-06
A6    -1.3492E-09    -5.6829E-09    -3.8825E-09
A8     8.1394E-13     3.2756E-11     3.3851E-11
A10    -4.5812E-16    -4.5885E-14    -4.1154E-14
A12     0.0000E+00     0.0000E+00     0.0000E+00
[各種データ]
INF
焦点距離             48.30
Fナンバー             1.26
全画角2ω            48.26
像高Y              21.63
レンズ全長           165.00
[可変間隔データ]
INF      撮影距離2058mm
d0               ∞           1892.8607
d16           7.7833              6.6929
d29           1.5000              2.5904
BF           1.0000              1.0000
[レンズ群データ]
群           始面           焦点距離
L1              1             209.80
L2             17              60.78
L3             30            -173.23
L1f             1             -60.78
Lsf             1              71.87
【実施例３】
【００７２】
図１１は、実施例３に係る結像光学系の無限遠におけるレンズ構成図である。実施例１１の結像光学系は、物体側から像側へ順に、フォーカシング時に固定の正の屈折力を有する第１レンズ群Ｌ１と、フォーカシング時に物体側に移動し正の屈折力を有する第２レンズ群Ｌ２と、フォーカシング時に固定の負の屈折力を有する第３レンズ群Ｌ３とから構成される。
【００７３】
第１レンズ群Ｌ１は、物体側から像側へ順に、物体側に凸面を向けた凹メニスカスレンズと物体側に凸面を向けた凸メニスカスレンズの接合レンズと物体側に凸面を向けた凹メニスカスレンズとで構成されるレンズ成分Ｌ１ｆと、物体側に凹面を向けた凸メニスカスレンズと、両凹レンズと両凸レンズの接合レンズと、物体側に凸面を向けた凹メニスカスレンズと両凸レンズの接合レンズと、両凸レンズ素子Ｌ１ｐとから構成される。
【００７４】
第２レンズ群Ｌ２は、物体側から像側へ順に、Ｒ２面が非球面の両凸レンズと、物体側に凹面を向けた凸メニスカスレンズと両凹レンズの接合レンズと、絞りＳと、両凹レンズと両凸レンズの接合レンズと両凸レンズと、Ｒ１面とＲ２面両面が非球面で物体側に凹面を向けた凸メニスカスレンズとから構成される。
【００７５】
第３レンズ群Ｌ３は、物体側から像側へ順に、両凸レンズと両凹レンズの接合レンズで構成される。
【００７６】
続いて、以下に実施例３に係る結像光学系の諸元値を示す。
【００７７】
数値実施例３
単位：mm
[面データ]
面番号            r              d               nd             vd
物面                 ∞           (d0)
1             200.9822         1.8000        1.49700          81.61
2              43.4726         6.5224        1.85026          32.27
3              70.0835         4.0432
4             126.2598         2.0000        1.51742          52.15
5              39.8554         9.8773
6            -158.2148         3.1251        1.77250          49.62
7             -79.5276         2.9894
8             -45.6289         1.5000        1.85478          24.80
9              37.7292        12.5622        1.77250          49.62
10            -632.3971         0.4149
11            2107.4248         1.0000        1.63980          34.46
12              93.2276         5.4458        1.77250          49.62
13           -1000.0000         0.1500
14              98.7068         8.1636        1.92286          20.88
15            -112.0714            d15
16              50.4845         9.5645        1.77377          47.17
17*           -137.8916         0.2961
18           -1734.9315         9.1393        1.62041          60.34
19             -45.1824         1.0000        1.63980          34.46
20              43.0199         9.1027
21(絞り)             ∞        11.6205
22             -26.9583         1.0000        1.69895          30.05
23              53.1245         5.2119        1.55032          75.50
24            -132.8172         0.2000
25              86.7699         7.0512        1.77250          49.62
26             -40.0307         0.2000
27*           -324.7949         2.8048        1.77250          49.50
28*            -65.1019            d28
29              83.6872         4.6258        2.00069          25.46
30            -230.4316         1.5000        1.78470          26.29
31              45.1994        22.9280
32                   ∞         2.5000        1.51680          64.20
33                   ∞             BF
像面                 ∞
[非球面データ]
17面           27面           28面
K     0.0000E+00     0.0000E+00     0.0000E+00
A4     2.4425E-06    -3.4754E-06     2.8623E-06
A6    -1.3075E-09    -2.8304E-09    -1.9050E-09
A8     6.1584E-13     3.3147E-11     3.3778E-11
A10    -2.2459E-16    -7.6000E-14    -7.1102E-14
A12     0.0000E+00     0.0000E+00     0.0000E+00
[各種データ]
INF
焦点距離             41.35
Fナンバー             1.26
全画角2ω            57.17
像高Y              21.63
レンズ全長           157.00
[可変間隔データ]
INF      撮影距離1774mm
d0                ∞           1617.3263
d15            6.1614              5.2301
d28            1.5000              2.4313
BF            1.0000              1.0000
[レンズ群データ]
群           始面           焦点距離
L1              1             347.73
L2             16              56.46
L3             29            -261.51
L1f             1            -104.33
Lsf             1              67.09
【実施例４】
【００７８】
図１６は、実施例４に係る結像光学系の無限遠におけるレンズ構成図である。実施例４の結像光学系は、物体側から像側へ順に、フォーカシング時に固定の正の屈折力を有する第１レンズ群Ｌ１と、フォーカシング時に物体側に移動し正の屈折力を有する第２レンズ群Ｌ２と、フォーカシング時に固定の負の屈折力を有する第３レンズ群Ｌ３とから構成される。
【００７９】
第１レンズ群Ｌ１は、物体側から像側へ順に、物体側に凸面を向けた凹メニスカスレンズと物体側に凸面を向けた凸メニスカスレンズと両凹レンズとで構成されるレンズ成分Ｌ１ｆと、両凸レンズと、両凹レンズと両凸レンズの接合レンズと、両凹レンズと両凸レンズの接合レンズと、両凸レンズ素子Ｌ１ｐとから構成される。
【００８０】
第２レンズ群Ｌ２は、物体側から像側へ順に、Ｒ２面が非球面の両凸レンズと、物体側に凹面を向けた凸メニスカスレンズと両凹レンズの接合レンズと、絞りＳと、両凹レンズと両凸レンズの接合レンズと両凸レンズと、Ｒ１面とＲ２面両面が非球面で物体側に凹面を向けた凸メニスカスレンズとから構成される。
【００８１】
第３レンズ群Ｌ３は、物体側から像側へ順に、両凸レンズと両凹レンズの接合レンズで構成される。
【００８２】
続いて、以下に実施例４に係る結像光学系の諸元値を示す。
【００８３】
数値実施例４
単位：mm
[面データ]
面番号            r              d               nd             vd
物面                 ∞           (d0)
1             222.3721         1.8000        1.49700          81.61
2              34.3733         1.5298
3              37.6422         3.8385        2.00069          25.46
4              42.1300        14.1236
5             -51.5735         2.0000        1.58144          40.89
6             122.0687         0.1500
7              70.9733        10.7653        1.80610          40.93
8             -61.1105         0.7239
9             -55.6180         1.5000        1.85478          24.80
10              40.8062        15.5122        1.77250          49.62
11             -61.0719         1.5640
12             -54.5483         1.0000        1.63980          34.46
13              76.3102         6.3012        1.77250          49.62
14            -981.9588         0.1500
15              85.3542         6.6457        1.98612          16.48
16            -433.5515            d16
17              52.3247         9.1585        1.77377          47.17
18*           -141.5547         0.6202
19            -593.8396         5.9536        1.62041          60.34
20             -55.2310         4.2677        1.63980          34.46
21              47.8028         5.4564
22(絞り)             ∞        11.1877
23             -27.4538         1.0000        1.69895          30.05
24              48.7275         4.8646        1.55032          75.50
25            -194.7129         0.2000
26              79.5877         6.5984        1.77250          49.62
27             -39.6483         1.3762
28*           -702.3955         3.9400        1.77250          49.50
29*            -66.0217            d29
30             248.0233         3.3994        2.00069          25.46
31            -178.8404         1.5000        1.78470          26.29
32              61.7251        19.1129
33                   ∞         2.5000        1.51680          64.20
34                   ∞             BF
像面                 ∞
[非球面データ]
18面           28面           29面
K     0.0000E+00     0.0000E+00     0.0000E+00
A4     2.5132E-06    -2.8168E-06     5.0736E-06
A6    -1.7612E-09    -1.2444E-08    -1.0663E-08
A8     1.2109E-12     5.7415E-11     5.4065E-11
A10    -5.5710E-16    -1.1822E-13    -1.0223E-13
A12     0.0000E+00     0.0000E+00     0.0000E+00
[各種データ]
INF
焦点距離             41.35
Fナンバー             1.26
全画角2ω            57.17
像高Y              21.63
レンズ全長           157.00
[可変間隔データ]
INF     撮影距離1774mm
d0               ∞          1616.8603
d16           5.5884             4.7640
d29           1.6726             2.4970
BF           1.0000             1.0000
[レンズ群データ]
群           始面           焦点距離
L1              1             157.05
L2             17              53.18
L3             30            -136.32
L1f             1             -37.66
Lsf             1              53.87
【実施例５】
【００８４】
図２１は、実施例５に係る結像光学系の無限遠におけるレンズ構成図である。実施例５の結像光学系は、物体側から像側へ順に、フォーカシング時に固定の正の屈折力を有する第１レンズ群Ｌ１と、フォーカシング時に物体側に移動し正の屈折力を有する第２レンズ群Ｌ２と、フォーカシング時に固定の負の屈折力を有する第３レンズ群Ｌ３とから構成される。
【００８５】
第１レンズ群Ｌ１は、物体側から像側へ順に、Ｒ１面が非球面で物体側に凸面を向けた凹メニスカスレンズと物体側に凸面を向けた凸メニスカスレンズと両凹レンズとで構成されるレンズ成分Ｌ１ｆと、両凸レンズと、両凹レンズと両凸レンズの接合レンズと、両凹レンズと両凸レンズの接合レンズと、両凸レンズ素子Ｌ１ｐとから構成される。
【００８６】
第２レンズ群Ｌ２は、物体側から像側へ順に、Ｒ２面が非球面の両凸レンズと、両凸レンズと両凹レンズの接合レンズと、絞りＳと、物体側に凹面を向けた凸メニスカスレンズと両凹レンズの接合レンズと、両凸レンズと、Ｒ１面とＲ２面両面が非球面で物体側に凹面を向けた凸メニスカスレンズとから構成される。
【００８７】
第３レンズ群Ｌ３は、物体側から像側へ順に、物体側に凸面を向けた凸メニスカスレンズと物体側に凸面を向けた凹メニスカスレンズの接合レンズで構成される。
【００８８】
続いて、以下に実施例５に係る結像光学系の諸元値を示す。
【００８９】
数値実施例５
単位：mm
[面データ]
面番号            r              d               nd             vd
物面                 ∞           (d0)
1*            139.6509         1.8000        1.55332          71.72
2              31.3080         3.3519
3              40.1764         3.0537        2.00069          25.46
4              42.3174        14.1738
5             -41.6381         2.0000        1.75520          27.53
6             382.0476         0.1500
7             111.9078         9.4662        1.96300          24.11
8             -57.1565         2.0984
9             -44.8777         1.5000        1.69895          30.05
10              47.2106        13.4687        1.77250          49.62
11             -52.4616         1.3809
12             -48.0680         1.0000        1.85478          24.80
13             214.4413         6.4438        1.77250          49.62
14             -86.3080         0.1500
15              99.2021         5.5781        1.98612          16.48
16           -1000.0000            d16
17              49.7362         9.5105        1.77250          49.50
18*           -139.0619         0.1500
19            3282.6280         5.8767        1.60311          60.69
20             -60.6030         4.4210        1.69895          30.05
21              44.8147         5.8050
22(絞り)             ∞        11.1520
23             -34.6547         3.8628        1.45860          90.20
24             -20.6907         1.0000        1.73800          32.33
25            1885.5546         0.2000
26              90.5393         6.6762        1.78590          43.93
27             -35.7077         1.5067
28*           -765.1479         2.6780        1.88202          37.11
29*            -75.0558            d29
30              98.7964         3.2313        1.77250          49.62
31             548.6746         1.5000        1.63980          34.46
32              55.0055        20.4705
33                   ∞         2.5000        1.51680          64.20
34                   ∞             BF
像面                 ∞
[非球面データ]
1面           18面           28面           29面
K     0.0000E+00     0.0000E+00     0.0000E+00     0.0000E+00
A4     9.0624E-07     2.5314E-06    -4.0336E-06     1.9377E-06
A6    -4.6241E-11    -1.6401E-09    -1.1965E-08    -9.6277E-09
A8     9.1123E-13     9.1729E-13     8.4262E-11     8.4381E-11
A10    -1.3268E-15    -2.8599E-16    -1.8017E-13    -1.6731E-13
A12     9.0487E-19     0.0000E+00     0.0000E+00     0.0000E+00
[各種データ]
INF
焦点距離             36.19
Fナンバー             1.25
全画角2ω            64.18
像高Y              21.63
レンズ全長           157.00
[可変間隔データ]
INF      撮影距離1754mm
d0               ∞           1416.9900
d16           8.3439              7.5156
d29           1.5000              2.3283
BF           1.0000              1.0000
[レンズ群データ]
群            始面          焦点距離
L1              1             163.04
L2             17              57.63
L3             30            -262.85
L1f             1             -27.86
Lsf             1              53.74
【実施例６】
【００９０】
図２６は、実施例６に係る結像光学系の無限遠におけるレンズ構成図である。実施例６の結像光学系は、物体側から像側へ順に、フォーカシング時に固定の正の屈折力を有する第１レンズ群Ｌ１と、フォーカシング時に物体側に移動し正の屈折力を有する第２レンズ群Ｌ２と、フォーカシング時に固定の負の屈折力を有する第３レンズ群Ｌ３とから構成される。
【００９１】
第１レンズ群Ｌ１は、物体側から像側へ順に、Ｒ１面とＲ２面両面が非球面で物体側に凸面を向けた凹メニスカスレンズと両凸レンズと両凹レンズとで構成されるレンズ成分Ｌ１ｆと、両凸レンズと、両凹レンズと両凸レンズの接合レンズと、両凹レンズと両凸レンズの接合レンズと、両凸レンズ素子Ｌ１ｐとから構成される。
【００９２】
第２レンズ群Ｌ２は、物体側から像側へ順に、Ｒ２面が非球面の両凸レンズと、物体側に凹面を向けた凸メニスカスレンズと両凹レンズの接合レンズと、絞りＳと、物体側に凹面を向けた凸メニスカスレンズと両凹レンズの接合レンズと、両凸レンズと、Ｒ１面とＲ２面両面が非球面で物体側に凹面を向けた凸メニスカスレンズとから構成される。
【００９３】
第３レンズ群Ｌ３は、物体側から像側へ順に、物体側に凸面を向けた凹メニスカスレンズと物体側に凹面を向けた凹メニスカスレンズとから構成される。
【００９４】
続いて、以下に実施例６に係る結像光学系の諸元値を示す。
【００９５】
数値実施例６
単位：mm
[面データ]
面番号            r              d               nd             vd
物面                ∞           (d0)
1*            497.7501         3.8955        1.55332          71.72
2*             27.0268         9.5737
3             177.2296         3.5743        2.00069          25.46
4           -1650.6743         8.5003
5             -35.1153         5.0986        1.75520          27.53
6            3650.2461         0.1500
7              91.8368         9.0944        1.96300          24.11
8             -62.8278         1.4724
9             -49.5290         1.5000        1.69895          30.05
10              39.9398        13.0709        1.77250          49.62
11             -54.6718         5.2590
12             -42.4436         1.0000        1.85478          24.80
13             217.0651         5.5505        1.77250          49.62
14             -79.6234         0.1500
15              82.6353         5.2089        1.98612          16.48
16           -1000.0000            d16
17              55.2793         7.4436        1.77250          49.50
18*           -104.7961         0.9456
19            -243.8387         4.1503        1.60311          60.69
20             -62.2588         1.0000        1.69895          30.05
21              43.1707         4.7727
22(絞り)             ∞         8.8160
23            -668.0246         7.3315        1.45860          90.20
24             -20.2908         2.5051        1.73800          32.33
25             271.3960         0.2000
26              74.4126         7.9008        1.78590          43.93
27             -38.5560         1.9168
28*           -957.5724         4.1375        1.88202          37.22
29*            -82.1503            d29
30              33.6124         1.0000        1.53172          48.84
31              25.7096         8.1281
32             -80.2924         1.0000        1.49700          81.61
33            -253.4720        12.5001
34                   ∞         2.5000        1.51680          64.20
35                   ∞             BF
像面                 ∞
[非球面データ]
1面            2面           18面           28面           29面
K     0.0000E+00     0.0000E+00     0.0000E+00     0.0000E+00     0.0000E+00
A4     2.2184E-06    -1.9337E-06     4.3977E-06    -6.9997E-06    -1.6405E-06
A6    -2.0858E-09    -6.2114E-09    -3.3590E-09    -1.6027E-09     8.1756E-11
A8     3.4379E-12     5.5145E-12     2.7509E-12     4.1894E-11     4.5542E-11
A10    -3.1012E-15    -1.4533E-14    -2.0239E-15    -7.8139E-14    -7.1688E-14
A12     1.5381E-18     0.0000E+00     0.0000E+00     0.0000E+00     0.0000E+00
[各種データ]
INF
焦点距離             28.90
Fナンバー             1.25
全画角2ω            76.94
像高Y              21.63
レンズ全長           157.00
[可変間隔データ]
INF      撮影距離1281mm
d0               ∞           1124.3538
d16           5.1534              4.5949
d29           1.5000              2.0585
BF           1.0000              1.0000
[レンズ群データ]
群            始面          焦点距離
L1              1             101.14
L2             17              44.54
L3             30            -111.36
L1f             1             -24.83
Lsf             1              59.09
【００９６】
次の［条件式対応値］には、各条件式に対応する各実施例の対応値の一覧を示す。
【００９７】
［条件式対応値］
条件式１   条件式２   条件式３   条件式４
実施例     Y/Bf     |ΣAci|     νdL1p    ΔPgfL1p
1        0.88      0.0014     16.48      0.0470
2        0.95      0.0014     16.48      0.0470
3        0.82      0.0011     20.88      0.0283
4        0.96      0.0012     16.48      0.0470
5        0.90      0.0011     16.48      0.0470
6        1.35      0.0011     16.48      0.0470
条件式５   条件式６   条件式７   条件式８
実施例    f1f/f      fsf/f       f2/f       β1b
1       -1.13       1.4        1.3        0.26
2       -1.26       1.5        1.3        0.23
3       -2.52       1.6        1.4        0.12
4       -0.91       1.3        1.3        0.26
5       -0.77       1.5        1.6        0.22
6       -0.86       2.0        1.5        0.29
【００９８】
各実施例の諸収差図から明らかなとおり、本発明によれば、従来の結像光学系の課題であった軸上色収差を良好に補正し、ミラーレスカメラに最適な結像光学系を提供することができる。
【符号の説明】
【００９９】
Ｌ１    第１レンズ群
Ｌ２    第２レンズ群
Ｌ３    第３レンズ群
Ｌ１ｆ  レンズ成分Ｌ１ｆ
Ｌｓｆ  レンズ群Ｌｓｆ
Ｌ１ｐ  レンズ素子Ｌ１ｐ
Ｓ      開放絞り
ＬＰＦ  ローパスフィルター
Ｉ      像面
【図１】
2019215510.tif 000007
【図２】
2019215510.tif 000008
【図３】
2019215510.tif 000009
【図４】
2019215510.tif 000010
【図５】
2019215510.tif 000011
【図６】
2019215510.tif 000012
【図７】
2019215510.tif 000013
【図８】
2019215510.tif 000014
【図９】
2019215510.tif 000015
【図１０】
2019215510.tif 000016
【図１１】
2019215510.tif 000017
【図１２】
2019215510.tif 000018
【図１３】
2019215510.tif 000019
【図１４】
2019215510.tif 000020
【図１５】
2019215510.tif 000021
【図１６】
2019215510.tif 000022
【図１７】
2019215510.tif 000023
【図１８】
2019215510.tif 000024
【図１９】
2019215510.tif 000025
【図２０】
2019215510.tif 000026
【図２１】
2019215510.tif 000027
【図２２】
2019215510.tif 000028
【図２３】
2019215510.tif 000029
【図２４】
2019215510.tif 000030
【図２５】
2019215510.tif 000031
【図２６】
2019215510.tif 000032
【図２７】
2019215510.tif 000033
【図２８】
2019215510.tif 000034
【図２９】
2019215510.tif 000035
【図３０】
2019215510.tif 000036